(57)【要約】【課題】  装置上を煩雑さのないすっきりした構成にすることができ、しかも誤操作の心配もなく、多種多様な商品販売業務に対処することができる操作性および汎用性にすぐれた商品販売処理装置を提供すること。【解決手段】  機械式のキーボードに代えてタッチパネル式のキーボード表示部２を商品販売処理装置に設ける。また、商品の販売に関わる各種操作キーのパターンおよびレイアウトが互いに異なる複数種のキーボード画面情報を記憶しておき、これらを商品販売処理の進行に伴い、キーボード表示部２で選択的に表示する。【選択図】  図１
2009099045.tif 000002
【特許請求の範囲】
【請求項１】
タッチパネル式のキーボード表示部と、
商品の販売に関わる各種操作キーのパターンおよびレイアウトが互いに異なる複数種のキーボード画面情報を記憶した記憶手段と、
前記記憶手段内の各キーボード画面情報を、商品販売処理の進行に伴い、前記キーボード表示部で選択的に表示する制御手段と、
を備えることを特徴とする商品販売処理装置。
【発明の詳細な説明】
【技術分野】
【０００１】
本発明は、ＰＯＳ端末等の商品販売処理装置に関する。
【背景技術】
【０００２】
商品を販売する店舗において商品の販売業務に供される商品販売処理装置たとえばＰＯＳ（Point Of Sales）端末は、情報入力用のキーボード、入力情報や処理情報を表示するための液晶ディスプレイ、その他周辺機器（レシートプリンタ，バーコードスキャナ，客面表示器など）を備えている。
【０００３】
このようなＰＯＳ端末におけるキーボードは、操作キーのパターンおよびレイアウトが固定である
これに対し、特許文献１のように、キーボードの代わりにタッチパネル式の表示部を備え、その表示部で操作キーを表示するようにしたパーソナルコンピュータがある。
【特許文献１】特開２０００−５６８７７号公報
【発明の開示】
【発明が解決しようとする課題】
【０００４】
上記のパーソナルコンピュータと同様の表示部をＰＯＳ端末等の商品販売処理装置にも採用すれば、装置上の構成が煩雑さのないすっきりとした形となる。
【０００５】
ただし、ＰＯＳ端末等の商品販売処理装置の場合、多種多様な商品販売業務に対処しようとすると、操作キーの数がパーソナルコンピュータ等の機器に比べてはるかに多くなり、表示部の画面の中に多数の操作キーがぎっしりつまった状態となって、誤操作による入力エラーが発生し易くなるなどの問題がある。
【０００６】
本発明は、上記のような事情に基づいてなされたものであり、その目的は、装置上を煩雑さのないすっきりした構成にすることができ、しかも誤操作の心配もなく、多種多様な商品販売業務に対処することができる操作性および汎用性にすぐれた商品販売処理装置を提供することである。
【課題を解決するための手段】
【０００７】
本発明にかかる商品販売処理装置は、タッチパネル式のキーボード表示部と、商品の販売に関わる各種操作キーのパターンおよびレイアウトが互いに異なる複数種のキーボード画面情報を記憶した記憶手段と、前記記憶手段内の各キーボード画面情報を、商品販売処理の進行に伴い、前記キーボード表示部で選択的に表示する制御手段と、を備えている。
【発明の効果】
【０００８】
かかる手段を講じた本発明によれば、装置上を煩雑さのないすっきりした構成にすることができ、しかも誤操作の心配もなく、多種多様な商品販売業務に対処することができる操作性および汎用性にすぐれた商品販売処理装置を提供することができる。
【発明を実施するための最良の形態】
【０００９】
以下、本発明を実施するための最良の形態について図面を用いて説明する。  
図１は、本実施の形態の商品販売処理装置であるＰＯＳターミナル１の外観図である。  
ＰＯＳターミナル１は、現金等を収容するための引出し１１を有するドロワ１０、およびそのドロワ１０に設けられた本体からなり、店舗の例えばレジカウンタに設置される。
【００１０】
ＰＯＳターミナル１の本体には、正面側にタッチパネル式のキーボード表示部２、カードリーダ３、モードスイッチ４、およびオペレータ表示器５が設けられ、背面側に客面表示器６が設けられている。また、ＰＯＳターミナル１の本体には、ジャーナルを電子媒体に保存する電子ジャーナル７、およびレシート及びジャーナルをプリントするプリンタ８が設けられている。さらに、ＰＯＳターミナル１から商品情報の入力手段としてバーコードスキャナ９が導出されている。バーコードスキャナ９は、商品に付されたバーコードを読取る機能を有する。
【００１１】
上記タッチパネル式のキーボード表示部２は、商品の販売に関わる各種操作キーのパターンおよびレイアウトを表示するための液晶ディスプレイと、その液晶ディスプレイ上に設けられたタッチパネルとを備え、表示中の各操作キーのうちタッチ操作された操作キーに対応する情報を入力情報として取込む。
【００１２】
上記モードスイッチ４は、「登録」，「点検」，「精算」，「設定」等の各種業務モードを選択するためのスイッチで、専用の鍵で操作される。因みに、「登録」とは、キーボード表示部２で入力された情報に基づいて商品の価格を加算してその売上データを記憶部に登録し、登録の終了が宣言された１取引の代金を精算してレシートを発行する業務のモードである。「点検」とは、記憶部に登録された各商品の売上データを集計しレポート出力する点検処理に供される業務のモードである。「精算」とは、記憶部に登録された各商品の売上データを集計してレポート出力した後、記憶部の売上データをクリアする精算処理に供される業務のモードである。「設定」とは、各種業務を実行する上で必要なデータを予め記憶部に設定するための処理など各種設定処理に供される業務のモードである。
【００１３】
上記カードリーダ３は、非現金決済に用いるカードが挿入されてスライド操作されることにより、そのカードに記録されているデータを読取る。上記オペレータ表示器５は、商品登録手段により販売登録された商品の品名，価格や、商品販売登録の終了が宣言され登録締め手段により１取引の合計金額，預かり金額，釣銭額等を表示する。上記客面表示器６は、カラー写真やカラー動画によるコマーシャル情報、たとえば「いらっしゃいませ」等の顧客案内情報，取引明細（商品名，単価，個数），取引結果（合計金額，預かり金額，釣銭額）等を表示する。
【００１４】
このような構成のＰＯＳターミナル１の制御回路を図２に示している。  
各種プログラムの実行等によりＰＯＳターミナル１の制御の主体となるＣＰＵ２０及びチップセット２１に、ＲＯＭ（Read Only Memory）２２、ＲＡＭ（Random Access Memory）２３、キーボード表示部２、オペレータ表示器５、客面表示器６、カードリーダ３、Ｉ／Ｏ（Input／Output）ポート２４、電子ジャーナル７、プリンタ８、バーコードスキャナ９、およびハードディスクドライブ（ＨＤＤ）３０が接続されている。
【００１５】
上記ＲＯＭ２２には、当該ＰＯＳターミナル１の各種処理に必要なファームウェアなどが格納されている。ＲＡＭ２３には、当該ＰＯＳターミナル１の各種処理に必要な作業用のメモリエリアが形成される。Ｉ／Ｏポート２４は、モードスイッチ４からの入力受付、およびドロワ開放装置２５による引出し１１の開放を行う。
【００１６】
上記ハードディスクドライブ３０には、商品登録処理などに必要なオペレーティングシステム（ＯＳ）、各種アプリケーションプログラム、キーボード表示部２で表示するための複数種たとえばｎ（整数，ｎ＞１）個のキーボード画面情報ファイル３１-１〜３１-ｎが記憶されている。
【００１７】
これらキーボード画面情報ファイル３１-１〜３１-ｎは、複数種の商品販売業務にそれぞれ対応しており、それぞれの販売処理の進行に伴って表示するべき複数のキーボード画面情報を有している。モードスイッチ４を操作して「設定」モードを設定し、その状態で所定の操作を行うことにより、いずれか１つのキーボード画面情報ファイルをメインのキーボード画面情報ファイルとして指定することができる。
【００１８】
キーボード画面情報ファイル３１-１〜３１-ｎの各キーボード画面情報には、初期キーボード画面情報がそれぞれ含まれており、その初期キーボード画面情報の表示例を図３と図４に示している。図３の初期キーボード画面情報１００は、商品の販売に関わる各種操作キーのパターンを対応する商品販売業務に最適な状態にレイアウトしたもので、個々の操作キーのパターンが小さくて、その分だけ操作キーの数が多くなっている。図４の初期キーボード画面情報１０１は、同様に、商品の販売に関わる各種操作キーのパターンを対応する商品販売業務に最適な状態にレイアウトしたもので、個々の操作キーのパターンが初期キーボード画面情報１００に比べて大きく、その分だけ操作キーの数が少なくなっている。なお、これら初期キーボード画面情報１００，１０１の代表的な操作キーとして、「０」，「１」などの置数キー、入力した数値をクリアするためのクリアキー「クリア」、責任者の登録処理を開始するための責任者キー「責」、商品登録の開始を指示するためのＰＬＵ（Price Look Up）キー「ＰＬＵ」、登録した商品の合計金額を表示するための小計キー「小計」、登録処理を締めるための現計キー「現計」などがある。
【００１９】
そしてＣＰＵ２０は、キーボード表示部２の制御に関する主要な機能として、次の（１）を有している。  
（１）ハードディスクドライブ３０内のキーボード画面情報ファイル３１-１〜３１-ｎのうち、予め指定されたキーボード画面情報ファイルの各キーボード画面情報を、商品販売処理の進行に伴い、キーボード表示部２で選択的に表示する制御手段。
【００２０】
次に、上記の構成による作用を、図５の流れ図を用いて説明する。  
商品登録処理が開始される前には、アイドル状態として、予め指定されたキーボード画面情報ファイルの初期キーボード画面情報が、上記キーボード表示部２で表示される（ステップ；ＳＴ１）。
【００２１】
各キーボード画面情報には、対応する処理場面から次の処理場面への進行を指示するための操作キーのパターンが含まれており、その操作キーのタッチ操作に応じてキーボード画面情報の表示が切換わる。例えば、初期キーボード画面では、エントリーキー「エントリー」が次の処理場面への進行を指示するための操作キーとして機能する。
【００２２】
このアイドル状態でエントリーキーがタッチ操作されると（ＳＴ２のＹｅｓ）、キーボード表示部２の表示が、次の処理場面に対応したキーボード画面情報に切換わる（ＳＴ３）。このときキーボード表示部２で表示されるキーボード画面情報の例を図６に示している。図６のキーボード画面情報１０２は、ユーザが当該ＰＯＳターミナル１を用いて商品登録処理を実際に開始する際に、上記初期キーボード画面情報の表示における所定の操作キーをタッチ操作することによって責任者の登録処理を行うためのもので、必要最小限でしかも操作しやすいレイアウトの置数キー５０，クリアキー５１，責任者キー５２のパターンからなる。
【００２３】
ユーザが責任者登録を行い（ＳＴ４）、処理場面の進行を指示するための操作キーである置数キー「１」がタッチ操作されると（ＳＴ５のＹｅｓ）、キーボード表示部２の表示が、次の処理場面に対応したキーボード画面情報に切換わる（ＳＴ６）。このときキーボード表示部２に表示されるキーボード画面情報の例を図７に示している。図７のキーボード画面情報１０３は、必要最小限でしかも操作しやすいレイアウトの置数キー５０，クリアキー５１，ＰＬＵキー５３，万券キー５４のパターンからなる。
【００２４】
このキーボード画面情報１０３が表示された状態で処理場面の進行を指示するための操作キーであるＰＬＵキー５３がタッチ操作されると（ＳＴ７のＹｅｓ）、キーボード表示部２の表示が、次の処理場面に対応したキーボード画面情報に切換わる（ＳＴ８）。このときキーボード表示部２に表示されるキーボード画面情報の例を図８に示している。図８のキーボード画面情報１０４は、バーコードスキャナ９による商品に付されたバーコードの読取りなどにより入力された情報に基づいて売上データを登録する商品登録処理（ＳＴ９）に際して使用されるもので、必要最小限でしかも操作し易いレイアウトの置数キー５０，クリアキー５１，値引キー５５，小計キー５６のパターンからなる。
【００２５】
このキーボード画面情報１０４が表示された状態で処理場面の進行を指示するための操作キーである小計キー５６がタッチ操作されると（ＳＴ１０のＹｅｓ）、キーボード表示部２の表示が、次の処理場面に対応したキーボード画面情報に切換わる（ＳＴ１１）。このときキーボード表示部２に表示されるキーボード画面情報の例を図９に示している。図９のキーボード画面情報１０５は、客からの預り金額の入力に際して使用されるもので、必要最小限でしかも操作し易いレイアウトの置数キー５０，クリアキー５１，現計キー５７のパターンからなる。
【００２６】
このキーボード画面情報１０５が表示された状態で処理場面の進行を指示するための操作キーである現計キー５７がタッチ操作されると（ＳＴ１２のＹｅｓ）、キーボード画面情報１０５で入力された預り金額からキーボード画面情報１０４で登録された商品の小計金額が減算されて釣銭額が求められ、その釣銭額を含む情報がオペレータ表示器５および客面表示器６で表示されるとともに，プリンタ８によるレシートの発行，およびドロワ開放装置２５によるドロワの開放がなされる（ＳＴ１３）。しかる後、キーボード表示部２に再び初期キーボード画面情報が表示されてエントリーキーのタッチ操作を待つ状態となる（ＳＴ１）。
【００２７】
このように、当該ＰＯＳターミナル１の上面部にタッチパネル式のキーボード表示部２を設けたので、当該ＰＯＳターミナル１上が煩雑さのないすっきりした構成となる。また、商品販売業務に最適なキーボード画面情報ファイルを予め指定することができ、しかも指定したキーボード画面情報ファイルの各キーボード画面情報を商品販売処理の進行に伴ってキーボード表示部２に選択的に表示するので、誤操作の心配なく多種多様な商品販売業務に対処することができる。よって、操作性および汎用性の向上が図れる。とくに、各キーボード画面情報は、必要最小限でしかも操作し易いレイアウトの操作キーパターンを有するので、この点でも操作性の大幅な向上が図れる
なお、当該実施の形態では、商品登録処理の各場面ごとにキーボード画面情報の表示を切換える場合を例に説明したが、これに加えて、他の処理たとえば点検処理，精算処理，設定処理などについても各場面ごとにキーボード画面情報の表示を切換える構成としてもよい。
【００２８】
その他、この発明は上記実施形態に限定されるものではなく、要旨を変えない範囲で種々変形実施可能である。
【図面の簡単な説明】
【００２９】
【図１】本実施形態におけるＰＯＳターミナルの外観を示す斜視図。
【図２】同実施形態におけるＰＯＳターミナルの制御回路を示すブロック図。
【図３】同実施形態における初期キーボード画面情報の表示例を示す図。
【図４】同実施形態における初期キーボード画面情報の表示例を示す図。
【図５】同実施形態における作用を説明するための流れ図。
【図６】同実施形態におけるキーボード画面情報の表示例を示す図。
【図７】同実施形態におけるキーボード画面情報の表示例を示す図。
【図８】同実施形態におけるキーボード画面情報の表示例を示す図。
【図９】同実施形態におけるキーボード画面情報の表示例を示す図。
【符号の説明】
【００３０】
１…ＰＯＳターミナル、２…キーボード表示部、３…カードリーダ、４…モードスイッチ、５…オペレータ表示器、６…客面表示器、７…電子ジャーナル、８…プリンタ、９…バーコードスキャナ、２０…ＣＰＵ、２１…チップセット、２２…ＲＯＭ、２３…ＲＡＭ、２４…Ｉ／Ｏポート、３０…ハードディスクドライブ、３１…キーボード画面情報ファイル
【図１】
2009099045.tif 000003
【図２】
2009099045.tif 000004
【図３】
2009099045.tif 000005
【図４】
2009099045.tif 000006
【図５】
2009099045.tif 000007
【図６】
2009099045.tif 000008
【図７】
2009099045.tif 000009
【図８】
2009099045.tif 000010
【図９】
2009099045.tif 000011